(57)【特許請求の範囲】
【請求項１】
筐体内に収納される収納位置と前記筐体内から引き出された後、その前端部が上方に向くように立ち上がる使用位置とに位置決めされるモニターを有する車載用表示装置において、
前記前端部に突出して複数の操作ボタンが連続して設けられ、前記複数の操作ボタンのうちの１つの操作ボタンは前記操作ボタンの操作面に連設した斜面である側面部に透光窓が形成され、前記透光窓が形成された操作ボタンの表面に凹凸を有することを特徴とする車載用表示装置。
【請求項２】
前記凹凸が、前記斜面とその両側に形成した凸部とで構成されていることを特徴とする請求項１に記載の車載用表示装置。
【請求項３】
前記操作ボタンが３個連続する場合は、前記透光窓を設けた操作ボタンが中間部に配置されていることを特徴とする請求項１または請求項２に記載の車載用表示装置。
【請求項４】
前記透光窓を有する操作ボタンが、前記モニターの使用位置における傾き角度を一時的に変更するための操作ボタンであることを特徴とする請求項１ないし請求項３のいずれかに記載の車載用表示装置。
【発明の詳細な説明】
【０００１】
【発明の属する技術分野】
本発明は、車載用のナビゲーション装置やテレビ受信機等のようにモニターを有する車載用表示装置に関する。
【０００２】
【従来の技術】
従来、この種の車載用表示装置は、車両内のダッシュボードまたはコンソール等に設置されることが多いが、設置スペースの問題および盗難防止の観点から、通常はモニターを筐体内に収納し、使用時にはモニターを前方に引き出し、その前面を立ち上げて表示画面が前方に向くように位置決めする構造のものが多い。モニターは、操作ボタンの操作により電動モータで駆動される。図３は従来の車載用表示装置の構成を示している。車両内のダッシュボードまたはコンソール等に設けられた取付凹部に取り付けられる筐体１には、スライド／チルト機構２を介して、モニター３が取り付けられている。モニター３は、液晶装置４を前面パネル５により覆う構造になっており、スライド／チルト機構２により、筐体１内に収納される収納位置と、前方に引き出された後、上方に立ち上げる図示の使用位置とに位置決めされる。前面パネル５には、使用位置における上端部（収納位置における前端部）に複数の操作ボタン６を有し、また、使用位置における前面（収納位置における下面）に別の複数の操作ボタン７を有し、それぞれ前面パネル５から少しだけ突出して設けられている。モニター３の収納位置では、前端部の操作ボタン６が前面に向いているので、その中のオープン／クローズボタン６ａを操作することにより、モニター３を使用位置へ立ち上げることができる。モニター３の使用位置では、前端部の操作ボタン６が今度は上面に位置しており、その中のチルトボタン６ｂを押すことにより、モニター３の角度を一時的に前方に倒すことができる。これにより、モニター３の背面側に位置する車両側のスイッチ等を操作することができる。また、モードボタン６ｃを押すと、ナビゲーションモードとテレビモードとを切り換えることができる。各操作ボタン６、７は、その表面に文字が形成され、その部分が透光性になっているので、夜間では内部のＬＥＤ（発光ダイオード）からの光によりその文字が浮き出て見えるようになっている。
【０００３】
【発明が解決しようとする課題】
しかしながら、上記従来の車載用表示装置では、モニター３を使用位置に立ち上げた場合に、前端部の操作ボタン６が上方に向くため、操作ボタン６の操作面に表示された文字が前方からは見えにくくなる。この種の車載用表示装置は、車両に乗り込んでモニター３を使用位置で使用した後は、車両から降りるまではその状態を維持することが多く、また、モニター３の使用位置では、その背後に車両エアコンの調整つまみ等が隠れることが多い。このため、エアコンの調整時には、チルトボタン６ｂを押してモニター３を前方に傾ける必要があるが、上記したように、モニター３の使用位置では、操作ボタン６が上方に向くため、操作ボタン６の操作面に表示された文字を前方から判別することが困難になり、操作性が悪いという問題があった。特に夜間では周囲が暗いため、操作ボタン６の位置が分かりにくいという問題があった。
【０００４】
本発明は、このような従来の問題を解決するものであり、使用時に操作ボタンが上方に向く車両用表示装置において、操作ボタンの視認性を向上し、操作性を向上させることのできる車載用表示装置を提供することを目的とする。
【０００５】
【課題を解決するための手段】
上記目的を達成するために、本発明の車載用表示装置は、筐体内に収納される収納位置と前記筐体内から引き出された後、その前端部が上方に向くように立ち上がる使用位置とに位置決めされるモニターを有する車載用表示装置において、
前記前端部に突出して複数の操作ボタンが連続して設けられ、前記複数の操作ボタンのうちの１つの操作ボタンは前記操作ボタンの操作面に連設した斜面である側面部に透光窓が形成され、前記透光窓が形成された操作ボタンの表面に凹凸を有することを特徴とする。この構成により、モニターを使用位置に立ち上げた場合に、各操作ボタンは上方に向くため、各操作ボタンの操作面に表示された文字等は前方からは見えにくくなるが、その側面部に設けた透光窓からの光により、特に夜間における視認性が向上し、操作面の凹凸により触覚的にも認識することができて斜面を設けない他の操作ボタンに対して容易に識別することができ、操作性を向上させることができる。
【０００８】
また、本発明の車載用表示装置は、前記凹凸が、前記斜面とその両側に形成した凸部とで構成されていることを特徴とする。この構成により、操作面の文字等および斜面の透光窓の邪魔にならずに凹凸を形成することができる。
【０００９】
また、本発明の車載用表示装置は、前記操作ボタンが３個連続する場合は、前記透光窓を設けた操作ボタンが中間部に配置されていることを特徴とする。この構成により、透光窓を設けた中間部の操作ボタンの位置を認識することで、その両側の操作ボタンの位置も容易に認識することができる。
【００１０】
また、本発明の車載用表示装置は、前記透光窓を有する操作ボタンが、前記モニターの使用位置における傾き角度を一時的に変更するための操作ボタンであることを特徴とする。この構成により、モニターの使用位置において一般的にモニターにより隠れることが多い車両空調用調整つまみ等を、操作ボタンを操作してモニターを一時的に前方に傾けることにより、容易に操作することができる。
【００１１】
【発明の実施の形態】
以下、本発明の実施の形態について図面を参照して説明する。図１は本発明の実施の形態における車載用表示装置の主要部の構成を示している。車載用表示装置全体の構成は図３に示した従来例と同様であり、筐体内に収納される収納位置と筐体内から引き出された後、その前端部が上方に向くように立ち上がる使用位置とに位置決めされるモニターを有する。図１において、モニター１１は、液晶表示装置１２を前面パネル１３により覆う構造になっており、電動モータにより駆動されるスライド／チルト機構により、筐体内に収納される収納位置と、前方に引き出された後、上方に立ち上がる図示の使用位置とに位置決めされる。前面パネル１３には、使用位置における上端部（収納位置における前端部）に複数の操作ボタン１４を有し、それぞれ前面パネル１３から少しだけ突出して設けられている。複数の操作ボタン１４は、モニター１１を使用位置と収納位置とに位置決めするオープン／クローズボタン１５、モニター１１に映す映像をＶＴＲ用とテレビ用とに切り換えるモードボタン１６、およびオープン／クローズボタン１５とモードボタン１６との間に配置されて、モニター１１の使用位置における傾き角度を調整するチルトボタン１７を有する。
【００１２】
チルトボタン１７は、その上方に向いた操作面１８に「ＴＩＬＴ」の文字１９が形成され、その前方に向いた側面部は斜面２０として形成され、そこに透光窓２１が形成されるとともに、斜面２０の両側は凸部２２、２３になっていて、斜面２０とともに凹凸形状を構成している。したがって、使用位置では上方に向くチルトボタン１７の操作面１８に形成された文字１９は前方からは見えにくくなるが、前方からは、チルトボタン１７の斜面２０とそこに設けた透光窓２１および両側の凸部２２、２３の特異な形状が見えるため、昼間においてもチルトボタン１７を他の操作ボタン１５、１６と区別して容易に識別することができる。
【００１３】
チルトボタン１７は、半透明の合成樹脂材料により他の操作ボタン１５、１６とランナーで連続するように一体に成形されており、図２に示すように、前面パネル１３の取付穴１３ａに裏側から挿入され、ランナー１７ａが支持穴１３ｂと液晶表示装置１２とにより挟持されている。チルトボタン１７は、その外側から見える透光性部分の表面が塗装され、レーザカット加工により文字１９および透光窓２１の部分の塗装を削除することにより、文字１９および透光窓２１が形成される。チルトボタン１７の下方には、ＬＥＤ２４が配置され、ＬＥＤ２４からの上向きの光がチルトボタン１７を直接照射するようになっている。したがって、夜間ではＬＥＤ２４からの光により文字１９および透光窓２１が光って見えるようになる。なお、ＬＥＤ２４からの光を導光板を通してチルトボタン１７に照射するようにしてもよい。
【００１４】
このように、本実施の形態によれば、モニター１１を使用位置に立ち上げた場合に、チルトボタン１７の側面部に形成した斜面２０と透光窓２１および凸部２２、２３の形状により昼間においても他の操作ボタン１５、１６と容易に区別することができ、また夜間においては透光窓２１がＬＥＤ２４の光により光るので、夜間における視認性が向上し、操作性を向上させることができる。また、チルトボタン１７の凸部２２、２３を指で触ることにより、その凹凸形状により触覚的にも識別することができる。また、透光窓２１を斜面２０に形成したので、操作面１８の文字１９をレーザカット加工により形成する際に、透光窓２１も同じ方向からレーザカット加工することができ、加工工数を削減することができる。さらに、透光窓２１を設けたチルトボタン１７をオープン／クローズボタン１５とモードボタン１６との間に配置したので、チルトボタン１７の位置を識別することで、その両側の操作ボタンの位置も識別することができる。さらに、透光窓２１をチルトボタン１７に設けたので、チルトボタン１７によりモニター１１を前方に傾けることにより、モニター１１の使用位置において一般的にモニター１１により隠れることが多い車両空調用調整つまみ等を、夜間でも容易に操作することができる。
【００１５】
なお、上記実施の形態において、チルトボタン１７のみに透光窓２１を設けたが、他のオープン／クローズボタン１５およびモードボタン１６、その他の内部にＬＥＤを備えている操作ボタンについても、同様に透光窓を設けて視認性を向上させることができる。その際には、透光窓を設ける各操作ボタンにおいて光の色または色調または明度を異ならせることがよい。また、操作面に設ける凹凸の形状および位置は任意に決めることができる。また、操作ボタンが４個以上連続する場合、透光窓を設けた操作ボタンを１つ置きに配置するようにしてもよい。
【００１６】
【発明の効果】
以上説明したように、本発明の車載用表示装置は、筐体内に収納される収納位置と筐体内から引き出された後、その前端部が上方に向くように立ち上がる使用位置とに位置決めされるモニターを有する車載用表示装置において、前端部に突出して設けられた複数の操作ボタンのうち、少なくとも１つの操作ボタンの側面部に透光窓を有することを特徴とするものであり、モニターを使用位置に立ち上げた場合に、各操作ボタンは上方に向くため、各操作ボタンの操作面に表示された文字等は前方からは見えにくくなるが、その側面部に設けた透光窓からの光により、特に夜間における視認性が向上し、操作面の凹凸により触覚的にも認識することができて斜面を設けない他の操作ボタンに対して容易に識別することができ、操作性を向上させることができる。
【図面の簡単な説明】
【図１】本発明の実施の形態における車載用表示装置の主要部の構成を示す斜視図
【図２】本発明の実施の形態における車載用表示装置の主要部の断面図
【図３】従来例における車載用表示装置の使用位置における斜視図
【符号の説明】
１１  モニター
１２  液晶表示装置
１３  前面パネル
１４  操作ボタン
１５  オープン／クローズボタン
１６  モードボタン
１７  チルトボタン
１８  操作面
１９  文字
２０  斜面
２１  透光窓
２２、２３  凸部
２４  ＬＥＤ
【図１】
0004141735.tif 000002
【図２】
0004141735.tif 000003
【図３】
0004141735.tif 000004